(57)【要約】【課題】二重ホースの上流側で選択的に切り替えた吐水について、二重ホース内の吐水流路の断面積を確保して一定の吐水流量を確保することができる混合水栓装置を提供する。【解決手段】本発明の水栓装置１は、複数の流路のうちから所定の流路を吐水流路として選択して切り替え可能な流路切替部２８，３０と、水栓装置本体から取り外し可能に設けられた吐水ヘッド部８と、流路切替部と吐水ヘッド部との間に接続された管部材１６，１８と、を有し、この管部材は、外側管部３６，７４とその内部にほぼ同心状に配置された内側管部３８，７２とからなり、内側管部の内周側に内側吐水流路３８ａ，７２ａを形成すると共に、内側管部の外周面と外側管部の内周面との間に外側吐水流路３６ａ，７４ａを形成し、内側管部の少なくとも一部の区間７２は、内側吐水流路内又は外側吐水流路内の水圧によって弾性変形可能な弾性材料により形成されている。【選択図】図１２
2014084651.tif 000002
【特許請求の範囲】
【請求項１】
吐止水を行う水栓装置であって、
水栓装置本体と、
この水栓装置本体に内蔵され、その内部に形成される複数の流路のうちから所定の流路を吐水流路として選択して切り替え可能な流路切替部と、
上記水栓装置本体から取り外し可能に設けられ且つ上記流路切替部よりも下流に位置する吐水ヘッド部と、
上記流路切替部と上記吐水ヘッド部との間に接続された管部材と、を有し、
この管部材は、外側管部とその内部にほぼ同心状に配置された内側管部とからなる二重管部を備え、この二重管部は、上記内側管部の内周側に内側吐水流路を形成すると共に、上記内側管部の外周面と上記外側管部の内周面との間に外側吐水流路を形成し、上記内側管部の少なくとも一部の区間は、上記内側吐水流路内又は上記外側吐水流路内の水圧によって弾性変形可能な弾性材料により形成されていることを特徴とする水栓装置。
【請求項２】
上記流路切替部は、固定弁体と、この固定弁体上に摺動可能に設けられた可動弁体と、この可動弁体を操作する操作部と、を備えたバルブカートリッジ部を備え、上記吐水ヘッド部は、上記管部材から供給された吐水を浄水する浄水部を備え、上記水栓装置本体は、上記バルブカートリッジ部の操作部に接続された単一の操作ハンドルを備えたシングルレバー式の混合水栓装置本体であり、この混合水栓装置本体は、上記操作ハンドルを上記可動弁体の摺動面に対して垂直な面内で操作することにより上記可動弁体を開閉し、上記吐水ヘッド部における吐止水の切替操作又は吐水時の吐水流量の調節操作が可能であり、上記操作ハンドルを上記可動弁体が上記摺動面と同一平面内で回転するように操作することにより、上記吐水ヘッド部における原水による水吐水、湯吐水、湯水混合吐水、又は、浄水吐水の何れかの吐水モードに選択的に切り替えた吐水操作が可能であり、上記管部材の二重管部は、上記バルブカートリッジ部の下流側と上記吐水ヘッド部との間に接続され、上記内側吐水流路又は上記外側吐水流路の一方には、上記操作ハンドルの吐水操作に応じて上記吐水ヘッド部において上記浄水部による浄水を行った後に浄水吐水を行うための浄水用の原水が流れ、他方には、上記吐水ヘッド部において上記浄水部による浄水を行わずに水吐水、湯吐水、又は湯水混合吐水を行うための非浄水用の原水が流れる請求項１記載の水栓装置。
【請求項３】
上記管部材の外側管部は、その外側が補強層により覆われている請求項１又は２に記載の水栓装置。
【請求項４】
上記流路切替部は、更に、上記バルブカートリッジ部の下流側に設けられ、上記操作ハンドルの吐水操作において上記浄水吐水の吐水モードが選択された場合に浄水用の原水が流れる浄水用原水流路を形成すると共に、上記操作ハンドルの吐水操作において上記浄水吐水以外の吐水モードが選択された場合に非浄水用の原水が流れる非浄水用原水流路を形成する本体部を備え、この本体部は、上記浄水用原水流路又は上記非浄水用原水流路の一方と上記外側管部とを接続する外側管接続部と、上記浄水用原水流路又は上記非浄水用原水流路の他方と上記内側管部とを接続する内側管接続部と、を備えている請求項２記載の水栓装置。
【請求項５】
上記本体部の外側管接続部は、上記内側管接続部よりも下流側に位置しており、上記浄水用原水流路及び上記非浄水用原水流路は、上記外側管接続部よりも上流側において、それぞれの流路断面の中心軸線が互いに偏心している請求項４記載の水栓装置。
【請求項６】
上記浄水用原水流路及び上記非浄水用原水流路のそれぞれは、上記本体部のほぼ鉛直方向に延びるように形成され、上記本体部の上記浄水用原水流路又は上記非浄水用原水流路の何れか一方の下流側は、上記本体部のほぼ水平方向に延びる接続流路を介して上記外側管接続部に接続されている請求項５記載の水栓装置。
【請求項７】
上記接続流路は、上記本体部に形成される際、上記本体部の外周側からほぼ水平方向内側に向かって、上記接続流路と接続すべき上記本体部の浄水用原水流路又は非浄水用原水流路の何れか一方に連通するまで穴開け加工が行われた後、上記本体部の外周部付近に形成された上記接続流路の開口部分を蓋体で塞ぐ加工が行われる請求項６記載の水栓装置。
【発明の詳細な説明】
【技術分野】
【０００１】
本発明は、水栓装置に係り、特に、吐止水を行う水栓装置に関する。
【背景技術】
【０００２】
従来から、吐止水を行う水栓装置として、例えば、特許文献１に記載されているように、単一の操作ハンドルを操作することにより、原水による水吐水、湯吐水、湯水混合吐水、又は、浄水吐水の何れかの吐水モードに切り替えて吐水操作が可能である、いわゆる、シングルレバー式の混合水栓装置が知られている。
このような混合水栓装置は、混合水栓装置本体に内蔵されて給水管及び給湯管が接続されたバルブカートリッジと、混合水栓装置本体に固定されたスパウトを備えている。このスパウトの内部には、バルブカートリッジを通過した原水が直接的に流入する原水側流路が形成されている。また、スパウトの内部には、原水側流路とは独立に、バルブカートリッジから延びる浄水側配管が延びて浄水側流路が形成されており、この浄水側流路には、バルブカートリッジから浄水側流路内に流入した原水を浄化するための浄水カートリッジが設けられている。
【０００３】
つぎに、特許文献２に記載されている従来の混合水栓装置では、スパウトの先端部に供給された原水の水路を切り替える切替ユニットと、混合水栓装置本体が設けられる流し台の上面に設置されて原水の処理を行う水処理ユニットとを備え、さらに、この水処理ユニットと切替ユニットとの間に設けられて切替ユニットから水処理ユニットに原水を供給すると共に、水処理ユニットで処理された処理水を切替ユニットへ返送するための、同心状に配置された大径ホースと小径ホースからなる二重ホースを備えている。また、切替ユニットには、原水の流路を切り替える切替レバーが設けられており、この切替レバーを操作することによって、原水をそのまま吐水する流路、原水をシャワー状に吐水する流路、又は原水を切替ユニットより水処理ユニットへ供給する流路の何れかに切り替えて３種類の吐水を行うことができるようになっている。
【０００４】
また、特許文献３に記載されている従来の混合水栓装置では、高度浄水が流れる小径ホースと無塩素浄水が流れる大径ホースからなる二重ホースを備え、この二重ホースの下流側に設けられたスパウトの先端の吐水部で複数の流路を選択的に切り替えることにより、浄水器からの２種類の洗浄水、又は水栓からの原水の何れかを選択することができるようになっているものも知られている。
【０００５】
さらに、特許文献４に記載されている従来の混合水栓装置では、水道水が流れる水道水路と、浄水が流れる浄水路と、これら水道水路と浄水路とを区画する仕切り壁を備えた吐出管が開示されている。この吐出管の仕切り壁は、塩化ビニル等の可撓性のある材料で形成されており、水道水路内に水道水が流れるときには、その水圧により仕切り壁が浄水路側へ押圧され、水道水路の断面積が増大することにより水道水路内を大量の水道水が流れることができるようになっている。一方、浄水路内に浄水が流れるときには、仕切り壁が水道水路側へ押圧されて浄水路の断面積が拡大され、大量の浄水が流れるようになっている。
【先行技術文献】
【特許文献】
【０００６】
【特許文献１】特開２０１１−１９６０１７号公報
【特許文献２】特開２００７−１５４９６１号公報
【特許文献３】特開平１１−１８２７１７号公報
【特許文献４】実開平５−８１３６５号公報
【発明の概要】
【発明が解決しようとする課題】
【０００７】
しかしながら、上述した特許文献１に記載されている従来の混合水栓装置においては、スパウトが混合水栓装置本体に常時固定されており、スパウトの先端の吐水部を混合水栓装置本体から取り外し、使用者側に引き出して使用したりすることができないため、使い勝手が良くないという問題がある。また、互いに独立した原水側流路と浄水側流路が装置内に集約されておらず、混合水栓装置本体からスパウトにかけて内部スペースを要するため、混合水栓装置を小型化するにも限界があるという問題もある。
また、上述した特許文献２及び３に記載されている従来の混合水栓装置では、二重ホースの流路断面積が、二重ホースと同一径の単一ホースの流路断面積に比べて小さくなるため、二重ホースと同一径の単一ホースを用いた場合には、吐水流量が低下してしまうという問題がある。さらに、上述した特許文献２では、使用時には、二重ホースの小径ホース内に形成される内側流路と、小径ホースの外周面と大径ホースの内周面との間に形成される外側流路の双方では、互いに逆方向に水がそれぞれ流れて常時互いの水圧が作用するような構造であり、上述した特許文献３では、二重ホースの下流側のスパウトの先端の吐水部で吐水の種類を切り替え、二重ホースの内側流路と外側流路の双方で常時互いの水圧が作用するような構造であるため、二重ホース内の内側流路や外側流路の流路断面積を適宜変更することができず、スパウトから吐水される吐水の種類にかかわらず一定の吐水流量を確保することが難しいという問題もある。
さらに、上述した特許文献４に記載されている従来の混合水栓装置では、吐出管の仕切り壁の端部（付け根部分）に水道水路や浄水路内の水圧等による繰り返し応力が作用し、破損も生じやすいため、耐久性が低く、吐出管に隣接する周辺部材との接続も難しいという問題がある。
【０００８】
そこで、本発明は、上述した従来技術の問題を解決するためになされたものであり、二重管の上流側で選択的に切り替えた吐水について、二重管内の吐水流路の断面積を確保して一定の吐水流量を確保することができる混合水栓装置を提供することを目的としている。
【課題を解決するための手段】
【０００９】
上記の目的を達成するために、本発明は、吐止水を行う水栓装置であって、水栓装置本体と、この水栓装置本体に内蔵され、その内部に形成される複数の流路のうちから所定の流路を吐水流路として選択して切り替え可能な流路切替部と、上記水栓装置本体から取り外し可能に設けられ且つ上記流路切替部よりも下流に位置する吐水ヘッド部と、上記流路切替部と上記吐水ヘッド部との間に接続された管部材と、を有し、この管部材は、外側管部とその内部にほぼ同心状に配置された内側管部とからなる二重管部を備え、この二重管部は、上記内側管部の内周側に内側吐水流路を形成すると共に、上記内側管部の外周面と上記外側管部の内周面との間に外側吐水流路を形成し、上記内側管部の少なくとも一部の区間は、上記内側吐水流路内又は上記外側吐水流路内の水圧によって弾性変形可能な弾性材料により形成されていることを特徴としている。
このように構成された本発明においては、二重管部のうちの内側管部の内側吐水流路内を水が流れる際には、内側管部の弾性材料で形成された区間（以下「内側管部の弾性区間」）が内側吐水流路内の水圧により半径方向外側に拡張するように弾性変形し、内側管部の内側吐水流路の断面積が増大し、内側管部の外周面と外側管部の内周面との間の外側吐水流路（以下「内側管部の外側吐水流路」）の断面積が減少する。一方、内側管部の外側吐水流路内を水が流れる際には、内側管部の弾性区間が外側吐水流路内の水圧により内側管部が半径方向内側に押圧されるように弾性変形し、内側管部の内側吐水流路の断面積が減少し、内側管部の外側吐水流路の断面積が増大する。これにより、二重管部の上流側の流路切替部で選択的に切り替えた吐水について、内側管部の内側吐水流路を流れる流体又は内側管部の外側吐水流路を流れる流体として選択的に流すことができる。したがって、二重管部の内側吐水流路内の吐水と外側吐水流路内の吐水を互いに混合させることなく、それぞれの吐水流路の断面積を増大させることができ、管部材の下流側の吐水ヘッド部から吐水する際の流量を増大させることができる。
【００１０】
本発明において、好ましくは、上記流路切替部は、固定弁体と、この固定弁体上に摺動可能に設けられた可動弁体と、この可動弁体を操作する操作部と、を備えたバルブカートリッジ部を備え、上記吐水ヘッド部は、上記管部材から供給された吐水を浄水する浄水部を備え、上記水栓装置本体は、上記バルブカートリッジ部の操作部に接続された単一の操作ハンドルを備えたシングルレバー式の混合水栓装置本体であり、この混合水栓装置本体は、上記操作ハンドルを上記可動弁体の摺動面に対して垂直な面内で操作することにより上記可動弁体を開閉し、上記吐水ヘッド部における吐止水の切替操作又は吐水時の吐水流量の調節操作が可能であり、上記操作ハンドルを上記可動弁体が上記摺動面と同一平面内で回転するように操作することにより、上記吐水ヘッド部における原水による水吐水、湯吐水、湯水混合吐水、又は、浄水吐水の何れかの吐水モードに選択的に切り替えた吐水操作が可能であり、上記管部材の二重管部は、上記バルブカートリッジ部の下流側と上記吐水ヘッド部との間に接続され、上記内側吐水流路又は上記外側吐水流路の一方には、上記操作ハンドルの吐水操作に応じて上記吐水ヘッド部において上記浄水部による浄水を行った後に浄水吐水を行うための浄水用の原水が流れ、他方には、上記吐水ヘッド部において上記浄水部による浄水を行わずに水吐水、湯吐水、又は湯水混合吐水を行うための非浄水用の原水が流れる。
このように構成された本発明においては、管部材の二重管部がバルブカートリッジ部の下流側と吐水ヘッド部との間に接続されているため、シングルレバー式の混合水栓装置本体の操作ハンドルによる吐水モードを選択的に切り替えた吐水操作を行うだけで、バルブカートリッジ部から二重管部を経て吐水ヘッド部へ流れる浄水用の原水と非浄水用の原水のそれぞれの流路を二重管部の上流側で容易に選択的に切り替えることができる。また、吐水ヘッド部とこれに接続されている管部材をシングルレバー式の混合水栓装置本体から取り外し、引き出した状態で使用することもできるため、使い勝手もよい。
【００１１】
本発明において、好ましくは、上記管部材の外側管部は、その外側が補強層により覆われている。
このように構成された本発明においては、管部材の外側管部の外側が補強層により覆われているため、外側管部の内部に大きな水圧が作用したとしても、外側管部の流路断面が半径方向外側に所定以上に拡張することを防ぐことができ、外側管部が破裂する等の管部材の損傷を防ぐことができる。
【００１２】
本発明において、好ましくは、上記流路切替部は、更に、上記バルブカートリッジ部の下流側に設けられ、上記操作ハンドルの吐水操作において上記浄水吐水の吐水モードが選択された場合に浄水用の原水が流れる浄水用原水流路を形成すると共に、上記操作ハンドルの吐水操作において上記浄水吐水以外の吐水モードが選択された場合に非浄水用の原水が流れる非浄水用原水流路を形成する本体部を備え、この本体部は、上記浄水用原水流路又は上記非浄水用原水流路の一方と上記外側管部とを接続する外側管接続部と、上記浄水用原水流路又は上記非浄水用原水流路の他方と上記内側管部とを接続する内側管接続部と、を備えている。
このように構成された本発明においては、混合水栓装置本体に内蔵された流路切替部の本体部が、浄水用原水流路又は非浄水用原水流路の一方と外側管部とを接続する外側管接続部と、浄水用原水流路又は非浄水用原水流路の他方と内側管部とを接続する内側管接続部とを備えていることにより、混合水栓装置本体と二重管部を直接的に接続することができる簡易な構造であるため、施工性を向上させることができる。
【００１３】
本発明において、好ましくは、上記本体部の外側管接続部は、上記内側管接続部よりも下流側に位置しており、上記浄水用原水流路及び上記非浄水用原水流路は、上記外側管接続部よりも上流側において、それぞれの流路断面の中心軸線が互いに偏心している。
このように構成された本発明においては、本体部の外側管接続部が内側管接続部よりも下流側に位置しており、浄水用原水流路及び上記非浄水用原水流路は、外側管接続部よりも上流側において、それぞれの流路断面の中心軸線が互いに偏心していることにより、本体部の外側管接続部よりも上流側で浄水用原水流路と非浄水用原水流路とが互いに別々の流路として形成されているため、これら別々の浄水用原水流路及び非浄水用原水流路と本体部の上流側のバルブカートリッジ部に形成される流路とを容易に接続することができる。
【００１４】
本発明において、好ましくは、上記浄水用原水流路及び上記非浄水用原水流路のそれぞれは、上記本体部のほぼ鉛直方向に延びるように形成され、上記本体部の上記浄水用原水流路又は上記非浄水用原水流路の何れか一方の下流側は、上記本体部のほぼ水平方向に延びる接続流路を介して上記外側管接続部に接続されている。
このように構成された本発明においては、本体部の浄水用原水流路又は非浄水用原水流路の何れか一方の下流側が、本体部のほぼ水平方向に延びる接続流路を介して外側管接続部に接続されている簡単な構成により、浄水用原水流路内の浄水用原水又は非浄水用原水流路内の非浄水用原水の何れか一方を外側管接続部に容易に供給することができる。
【００１５】
本発明において、好ましくは、上記接続流路は、上記本体部に形成される際、上記本体部の外周側からほぼ水平方向内側に向かって、上記接続流路と接続すべき上記本体部の浄水用原水流路又は非浄水用原水流路の何れか一方に連通するまで穴開け加工が行われた後、上記本体部の外周部付近に形成された上記接続流路の開口部分を蓋体で塞ぐ加工が行われる。
このように構成された本発明においては、接続流路を本体部に形成する際、本体部の外周側からほぼ水平方向内側に向かって、接続流路と接続すべき本体部の浄水用原水流路又は非浄水用原水流路の何れか一方に連通するまで穴開け加工を行った後、本体部の外周部付近に形成された接続流路の開口部分を蓋体で塞ぐ加工を行うことができるため、簡単な加工で本体部に接続流路を容易に形成することができる。
【発明の効果】
【００１６】
本発明の水栓装置によれば、二重管の上流側で選択的に切り替えた吐水について、二重管内の吐水流路の断面積を確保して一定の吐水流量を確保することができる。
【図面の簡単な説明】
【００１７】
【図１】本発明の一実施形態による水栓装置を示す概略斜視図である。
【図２】本発明の一実施形態による水栓装置の側面図である。
【図３】図２のＩＩＩ−ＩＩＩ線に沿った断面図である。
【図４】図２のＩＶ−ＩＶ線に沿った断面図である。
【図５】図５の（ａ）は、本発明の一実施形態による水栓装置の操作ハンドルを止水モードに設定した状態を示す概略平面図であり、図５の（ｂ）は、止水モードに設定した状態の水栓装置の流路形成部材、その上方の固定弁体、及びその上方の可動弁体における各流路の連通状態を概略的に示す平面図である。
【図６】図６の（ａ）は、本発明の一実施形態による水栓装置の操作ハンドルを原水による水吐水モードに設定した状態を示す概略平面図であり、図６の（ｂ）は、原水による水吐水モードに設定した状態の水栓装置の流路形成部材、その上方の固定弁体、及びその上方の可動弁体における各流路の連通状態を概略的に示す平面図である。
【図７】図７の（ａ）は、本発明の一実施形態による水栓装置の操作ハンドルを原水による湯吐水モードに設定した状態を示す概略平面図であり、図７の（ｂ）は、原水による湯吐水モードに設定した状態の水栓装置の流路形成部材、その上方の固定弁体、及びその上方の可動弁体における各流路の連通状態を概略的に示す平面図である。
【図８】図８の（ａ）は、本発明の一実施形態による水栓装置の操作ハンドルを浄水吐水モードに設定した状態を示す概略平面図であり、図８の（ｂ）は、浄水吐水モードに設定した状態の水栓装置の流路形成部材、その上方の固定弁体、及びその上方の可動弁体における各流路の連通状態を概略的に示す平面図である。
【図９】本発明の一実施形態による水栓装置の流路形成部材を斜め後方から見た斜視図である。
【図１０】図９のＸ−Ｘ線に沿った断面図である。
【図１１】本発明の一実施形態による水栓装置のホース部材と鋼管部材との接続部を拡大した部分拡大断面図である。
【図１２】本発明の一実施形態による水栓装置のホース部材と吐水ヘッド部との接続部を拡大した部分拡大断面図である。
【図１３】本発明の一実施形態による水栓装置の吐水ヘッド部の平面断面図である。
【図１４】図１４の（ａ）は、本発明の一実施形態による水栓装置の吐水ヘッド部における原水ストレート吐水モードの吐水動作を概略的に説明した図であり、図１４の（ｂ）は、本発明の一実施形態による水栓装置の吐水ヘッド部における原水シャワー吐水モードの吐水動作を概略的に説明した図であり、図１４の（ｃ）は、本発明の一実施形態による水栓装置の吐水ヘッド部における浄水ストレート吐水モードの吐水動作を概略的に説明した図である。
【発明を実施するための形態】
【００１８】
以下、添付図面を参照して本発明の一実施形態による水栓装置について説明する。
まず、図１は、本発明の一実施形態による水栓装置を示す概略斜視図であり、図２は、本発明の一実施形態による水栓装置の側面図である。
図１及び図２に示すように、本発明の一実施形態による水栓装置１は、給湯源（図示せず）に接続された給湯管２から供給される湯と、給水源（図示せず）に接続された給水管４から供給される水とを混合し、１つの操作ハンドル６を操作することにより湯水の流量と温度を調整した湯水を吐水ヘッド部８の吐水部８ａで吐止水することができ、さらに、操作ハンドル６を浄水吐水モードに設定することにより吐水ヘッド部８の吐水部８ａで浄水を吐止水することもできる浄水機能を備えた、いわゆる、シングルレバー式の混合水栓装置本体１０を有する。
【００１９】
また、混合水栓装置本体１０は、台所のシンク又は洗面台のカウンター１２上に配置され、操作ハンドル６を上方（図１に示されている矢印「開」の方向）に回動操作した場合には、吐水ヘッド部８の吐水部８ａにおける止水から吐水への切替操作ができるようになっており、操作ハンドル６をより上方に回動させた位置に設定する程、吐水ヘッド部８の吐水部８ａから吐出される湯水の流量を大きく設定することができるようになっている。
一方、操作ハンドル６を最も下方（図１に示されている矢印「閉」の方向）の位置に回動操作した場合には、吐水ヘッド部８の吐水部８ａから吐出される湯水を止水状態に設定することができるようになっている。
【００２０】
さらに、操作ハンドル６を正面側から混合水栓装置本体１０の鉛直方向の中心軸線Ａ１を中心に図１の矢印「Ｃ」の水平方向（図１の水平方向右側）に回動操作した場合には、吐水ヘッド部８の吐水部８ａから原水による水の吐水を行うモード（以下「水吐水モード」）に設定することができるようになっている。また、この水吐水モードの状態からさらに操作ハンドル６を中心軸線Ａ１を中心に図１の矢印「Ｃ」の水平方向（図１の水平方向右側）に回動操作した場合には、吐水ヘッド部８の吐水部８ａから浄水の吐水を行うモード（以下「浄水吐水モード」に設定することができるようになっている。
【００２１】
一方、操作ハンドル６を正面側から中心軸線Ａ１を中心に図１の矢印「Ｈ」の水平方向（図１の水平方向左側）に回動操作した場合には、吐水ヘッド部８の吐水部８ａから原水による湯と水を混合させた湯水の吐水を行う（以下「湯水混合吐水モード」）に設定することができるようになっている。また、この湯水混合吐水モードの状態からさらに操作ハンドル６を中心軸線Ａ１を中心に図１の矢印「Ｈ」の水平方向（図１の水平方向左側）に回動操作した場合には、吐水ヘッド部８の吐水部８ａから原水による高温の湯の吐水を行うモード（以下「湯吐水モード」）に設定することができるようになっている。
【００２２】
つぎに、図２に示すように、吐水ヘッド部８は、混合水栓装置本体１０の前面から前方且つ斜め上方に突出する吐水ヘッド取付部１４に取り外し可能に取り付けられている。使用者は、吐水ヘッド部８を把持して混合水栓装置本体１０の吐水ヘッド取付部１４から取り外し、前方側（図２の矢印Ａの方向）へ引き出した状態で使用することができるようになっている。なお、図２では、引き出した状態の吐水ヘッド部８を鎖線で示している。
また、吐水ヘッド部８の前端部には、吐水部８ａにおいてシャワー状の吐水を行う吐水モード（以下「シャワー吐水モード」）又はストレート状の吐水を行う吐水モード（以下「ストレート吐水モード」）に切り替える切替スイッチ８ｂが設けられている。
さらに、図１及び図２に示すように、吐水ヘッド８の後端部（上流側）は、詳細は後述するホース部材１６が接続され、このホース部材１６の上流側は、混合水栓装置本体１０に内蔵されている詳細は後述する流路形成部材（図示せず）に接続された鋼管部材１８と接続部材２０によって接続されている。
【００２３】
つぎに、図３は、図２のＩＩＩ−ＩＩＩ線に沿った断面図であり、図４は、図２のＩＶ−ＩＶ線に沿った断面図である。
図３及び図４に示すように、混合水栓装置本体１０には、固定弁体２２と、この固定弁体２２上に摺動可能に設けられた可動弁体２４と、この可動弁体２４に連結されて可動弁体２４を操作する操作部２６とを備えたバルブカートリッジ２８が内蔵されている。このバルブカートリッジ２８は、操作ハンドル６の操作によりバルブカートリッジ２８の操作部２６を操作すると、可動弁体２４が固定弁体２２の上面に沿って摺動又は回動することにより、可動弁体２４の流路と固定弁体２２の流路との連通状態を切り替えることができるようになっている。これにより、混合水栓装置本体１０内の複数の流路のうちから所定の流路を吐水流路として選択して切り替えることができ、吐水ヘッド部８の吐水部８ａにおける吐水モードを上述した止水モード、水吐水モード、湯水混合吐水モード、湯吐水モード、又は浄水吐水モードのいずれかに切り替えることができるようになっている。
【００２４】
また、混合水栓装置本体１０内のバルブカートリッジ２８の下側には、給湯管２、給水管４及び鋼管部材６のそれぞれの上端部が接続されている流路形成部材３０（詳細は後述する）が固定されている。この流路形成部材３０の内部には、バルブカートリッジ２８の固定弁体２２の各流路と、給湯管２、給水管４及び鋼管部材６のそれぞれの内部流路とを連通させる複数の流路が形成されている。
【００２５】
つぎに、図３〜図８を参照して、各吐水モードにおける、流路形成部材、固定弁体、及び可動弁体の各流路の連通状態について説明する。
まず、図５の（ａ）は、本発明の一実施形態による水栓装置の操作ハンドルを止水モードに設定した状態を示す概略平面図であり、図５の（ｂ）は、止水モードに設定した状態の水栓装置の流路形成部材、その上方の固定弁体、及びその上方の可動弁体における各流路の連通状態を概略的に示す平面図である。
図５の（ａ）に示すように、止水モードの操作ハンドル６は、その先端部６ａが正面側に差し向けられた操作位置Ｐ０となる。また、操作ハンドル６は最も下方（図１に示されている矢印「閉」の方向）の位置に回動操作されている。
このとき、図５の（ｂ）に示すように、可動弁体２４における固定弁体２２側（可動弁体２４の上流側）からの吐水が流入する一次側流路２４ａは、閉鎖されている。すなわち、可動弁体２４の一次側流路２４ａは、固定弁体２２の一次側湯流路２２ａ及び一次側水流路２２ｂのそれぞれ、並びに流路形成部材３０の一次側湯流路３０ａ及び一次側水流路３０ｂのそれぞれとも連通していない。
また、可動弁体２４の一次側流路２４ａから流入する吐水を固定弁体２２側（可動弁体２４の下流側）に吐出させる可動弁体２４の二次側流路２４ｂは通水されていない状態となる。すなわち、可動弁体２４の二次側流路２４ｂは、固定弁体２２の二次側非浄水用原水流路２２ｃ及び二次側浄水用原水流路２２ｄのそれぞれ、並びに流路形成部材３０の二次側非浄水用原水流路３０ｃ及び二次側浄水用原水流路３０ｄのそれぞれとも連通していない。
【００２６】
つぎに、図６の（ａ）は、本発明の一実施形態による水栓装置の操作ハンドルを原水による水吐水モードに設定した状態を示す概略平面図であり、図６の（ｂ）は、原水による水吐水モードに設定した状態の水栓装置の流路形成部材、その上方の固定弁体、及びその上方の可動弁体における各流路の連通状態を概略的に示す平面図である。
図６の（ａ）に示すように、水吐水モードの操作ハンドル６の操作位置Ｐ１は、止水モードの操作ハンドル６の操作位置Ｐ０に対して、先端部６ａを混合水栓装置本体１０の鉛直方向の中心軸線Ａ１を中心に図６の（ａ）の水平方向右側にわずかに回動させた操作位置となる。そして、操作ハンドル６は上方（図１に示されている矢印「開」の方向）に回動操作した状態となる。
このとき、図６の（ｂ）に示すように、可動弁体２４の一次側流路２４ａは、固定弁体２２の一次側水流路２２ｂ及び流路形成部材３０の一次側水流路３０ｂのそれぞれと連通している状態となる。
また、可動弁体２４の二次側流路２４ｂは、固定弁体２２の二次側非浄水用原水流路２２ｃ及び流路形成部材３０の二次側非浄水用原水流路３０ｃのそれぞれと連通している状態となる。
さらに、本実施例においては操作ハンドル６の先端部６ａが正面側に差し向けられた操作位置Ｐ０とした場合であっても、操作ハンドル６を上方（図１に示されている矢印「開」の方向）に回動操作した状態で水が吐水されるように設定されている。
【００２７】
つぎに、図７の（ａ）は、本発明の一実施形態による水栓装置の操作ハンドルを原水による湯吐水モードに設定した状態を示す概略平面図であり、図７の（ｂ）は、原水による湯吐水モードに設定した状態の水栓装置の流路形成部材、その上方の固定弁体、及びその上方の可動弁体における各流路の連通状態を概略的に示す平面図である。
図７の（ａ）に示すように、湯吐水モードの操作ハンドル６の操作位置Ｐ２は、止水モードの操作ハンドル６の操作位置Ｐ０に対して、先端部６ａを混合水栓装置本体１０の鉛直方向の中心軸線Ａ１を中心に図７の（ａ）の水平方向左側に回動させた操作位置となる。そして、操作ハンドル６は上方（図１に示されている矢印「開」の方向）に回動操作した状態となる。
このとき、図７の（ｂ）に示すように、可動弁体２４の一次側流路２４ａは、固定弁体２２の一次側湯流路２２ａ及び流路形成部材３０の一次側湯流路３０ａのそれぞれと連通している状態となる。
また、可動弁体２４の二次側流路２４ｂは、固定弁体２２の二次側非浄水用原水流路２２ｃ及び流路形成部材３０の二次側非浄水用原水流路３０ｃのそれぞれと連通している状態となる。
【００２８】
なお、図７の（ａ）及び（ｂ）の湯吐水モードの操作ハンドル６の操作位置Ｐ２では、可動弁体２４の二次側流路２４ｂを最も湯側に設定したときの状態を示しているが、湯と水を混合させる湯水混合吐水モードに設定する場合には、図７の（ａ）に示すように、操作バンドル６を止水モードの操作ハンドル６の操作位置Ｐ０と湯吐水モードの操作ハンドル６の操作位置Ｐ２との間の操作位置Ｐ３に設定する。
【００２９】
つぎに、図８の（ａ）は、本発明の一実施形態による水栓装置の操作ハンドルを浄水吐水モードに設定した状態を示す概略平面図であり、図８の（ｂ）は、浄水吐水モードに設定した状態の水栓装置の流路形成部材、その上方の固定弁体、及びその上方の可動弁体における各流路の連通状態を概略的に示す平面図である。
図８の（ａ）に示すように、浄水吐水モードの操作ハンドル６の操作位置Ｐ４は、止水モードの操作ハンドル６の操作位置Ｐ０及び水吐水モードの操作ハンドル６の操作位置Ｐ１に対して、先端部６ａを混合水栓装置本体１０の鉛直方向の中心軸線Ａ１を中心に図８の（ａ）の水平方向右側に回動させた操作位置となる。そして、操作ハンドル６は上方（図１に示されている矢印「開」の方向）に回動操作した状態となる。
このとき、図８の（ｂ）に示すように、可動弁体２４の一次側流路２４ａは、固定弁体２２の一次側水流路２２ｂ及び流路形成部材３０の一次側水流路３０ｂのそれぞれと連通している状態となる。
また、可動弁体２４の二次側流路２４ｂは、固定弁体２２の二次側浄水用原水流路２２ｄ及び流路形成部材３０の二次側浄水用原水流路３０ｄのそれぞれと連通している状態となる。
【００３０】
つぎに、図３〜図１０を参照して、流路形成部材の構造について説明する。
図９は、本発明の一実施形態による水栓装置の流路形成部材を斜め後方から見た斜視図であり、図１０は、図９のＸ−Ｘ線に沿った断面図である。
なお、図３、図４、図９及び図１０においては、一次側の湯の流れ及び水の流れのそれぞれ、並びに、二次側の非浄水用原水の流れＦ１及び浄水用原水の流れＦ２のそれぞれを矢印で示している。
まず、図９に示すように、流路形成部材３０の内部には、鉛直方向に延びる一次側湯流路３０ａ、一次側水流路３０ｂ、二次側非浄水用原水流路３０ｃ、及び二次側浄水用原水流路３０ｄの４つの流路がそれぞれ形成されている。
図３、図９及び図１０に示すように、流路形成部材３０の一次側湯流路３０ａは、その上端部（下流側端部）がバルブカートリッジ２８の固定弁体２２の一次側湯流路２２ａの下端側（上流側）と連通接続されている。一方、流路形成部材３０の一次側湯流路３０ａの下端部（上流側端部）は、給湯管２の上端部（下流側端部）が挿入されて接続される給湯管接続部３２となっている。
【００３１】
同様に、図３、図９及び図１０に示すように、流路形成部材３０の一次側水流路３０ｂは、その上端部（下流側端部）がバルブカートリッジ２８の固定弁体２２の一次側湯水路２２ｂの下端側（上流側）と連通接続されている。一方、流路形成部材３０の一次側水流路３０ｂの下端部（上流側端部）は、給水管４の上端部（下流側端部）が挿入されて接続される給水管接続部３４となっている。
【００３２】
また、流路形成部材３０の二次側非浄水用原水流路３０ｃ及び二次側浄水用原水流路３０ｄのそれぞれの上端部（上流側端部）は、固定弁体２２の二次側非浄水用原水流路２２ｃ及び二次側浄水用原水流路２２ｄのそれぞれの下端側（下流側）と連通接続されている。
さらに、図４及び図１０に示すように、流路形成部材３０の二次側非浄水用原水流路３０ｃには、下方側から鋼管部材１８が接続されている。この鋼管部材１８は、細長いほぼ円管状の外側鋼管部材３６と、この外側鋼管部材３６の内部にほぼ同心状に配置された内側鋼管部材３８とからなる二重管部材である。また、内側鋼管部材３８の上端部（上流側端部）は、流路形成部材３０の底面から所定距離上方に位置する二次側非浄水用原水流路３０ｃの下流側端部（内側鋼管部材接続部４０）にシール部材４２を介して液密に接続され、内側鋼管部材３８の内周側は、二次側非浄水用原水流路３０ｃから流入した非浄水用原水のみが流れる非浄水用原水流路３８ａ（図４及び図１０参照）を形成している。
【００３３】
一方、流路形成部材３０の底面且つ内側鋼管部材接続部４０の真下（内側鋼管部材接続部４０よりも下流側）の位置には、外側鋼管部材接続部４４が設けられ、外側鋼管部材３６の上端部（上流側端部）がシール部材４６を介して液密に接続されている。さらに、流路形成部材３０の外側鋼管部材接続部４４よりも上流側且つ内側鋼管部材接続部４０よりも下流側には、二次側浄水用原水流路３０ｄの下端部と外側鋼管部材接続部４４とを接続するようにほぼ水平方向に延びる接続流路４８が形成されている。
また、外側鋼管部材接続部４４よりも上流側に位置する流路形成部材３０の二次側非浄水用原水流路３０ｃと二次側浄水用原水流路３０ｄは、それぞれの流路断面の中心軸線Ａ２，Ａ３が互いに偏心しているため、二次側浄水用原水流路３０ｄ内の浄水用の原水は、接続流路４８を経て、内側鋼管部材３８の外周面と外側鋼管部材３６の内周面との間に形成される浄水用原水流路３６ａ（図４及び図１０参照）を流れるようになっている。
すなわち、内側鋼管部材３８の内周側の非浄水用原水流路３８ａと、内側鋼管部材３８の外周面と外側鋼管部材３６の内周面との間に形成される浄水用原水流路３６ａとは、互いに独立した流路を形成しているため、それぞれを流れる非浄水用原水と浄水用の原水同士は互いに混ざり合うことなく流れるようになっている。
【００３４】
ここで、図４及び図１０においては、流路形成部材３０の二次側非浄水用原水流路３０ｃから内側鋼管部材３８の内周側の非浄水用原水流路３８ａを流れる非浄水用原水の流れＦ１、及び流路形成部材３０の二次側浄水用原水流路３０ｄから接続流路４８を経て内側鋼管部材３８の外周面と外側鋼管部材３６の内周面との間の浄水用原水流路３６ａを流れる浄水用原水の流れＦ２をそれぞれ矢印で示している。
図１０に示す非浄水用原水の流れＦ１は、操作ハンドル６を水吐水モードの操作位置Ｐ１（図６の（ａ）及び（ｂ）参照）に設定した場合に、給水管４から供給される原水による水が、流路形成部材３０の一次側水流路３０ｂから固定弁体２２の一次側水流路２２ｂを通過し、可動弁体２４の一次側流路２４ａ及び二次側流路２４ｂから固定弁体２２の二次側非浄水用原水流路２２ｃを経て流路形成部材３０の二次側非浄水用原水流路３０ｃを通過し、最終的に吐水ヘッド部８において水吐水を行うための非浄水用の原水（水）の流れである。
【００３５】
加えて、図１０に示す非浄水用原水の流れＦ１は、操作ハンドル６を湯吐水モードの操作位置Ｐ２（図７の（ａ）及び（ｂ）参照）に設定した場合に、給湯管２から供給される原水による湯が、流路形成部材３０の一次側湯流路３０ａから固定弁体２２の一次側湯流路２２ａを通過し、可動弁体２４の一次側流路２４ａ及び二次側流路２４ｂから固定弁体２２の二次側非浄水用原水流路２２ｃを経て流路形成部材３０の二次側非浄水用原水流路３０ｃを通過し、最終的に吐水ヘッド部８において湯吐水を行うための非浄水用の原水（湯）の流れである。
さらに、図１０に示す非浄水用原水の流れＦ１は、操作ハンドル６を湯水混合吐水モードの操作位置Ｐ３（図７の（ａ）参照）に設定した場合に、給湯管２から供給される原水による湯と給湯管４から供給される原水による水のそれぞれが、流路形成部材３０の一次側湯流路３０ａ及び一次側湯流路３０ａのそれぞれを通過し、固定弁体２２の一次側湯流路２２ａ及び一次側水流路２２ｂのそれぞれを通過し、可動弁体２４の一次側流路２４ａ及び二次側流路２４ｂから固定弁体２２の二次側非浄水用原水流路２２ｃを経て流路形成部材３０の二次側非浄水用原水流路３０ｃに通過し、最終的に吐水ヘッド部８において湯水混合吐水を行うための非浄水用の原水（混合された湯水）の流れである。
【００３６】
一方、図１０に示す浄水用原水の流れＦ２は、操作ハンドル６を浄水吐水モードの操作位置Ｐ４（図８の（ａ）及び（ｂ）参照）に設定した場合に、給水管４から供給される原水による水が、流路形成部材３０の一次側水流路３０ｂから固定弁体２２の一次側水流路２２ｂを通過し、可動弁体２４の一次側流路２４ａ及び二次側流路２４ｂから固定弁体２２の二次側浄水用原水流路２２ｄを経て流路形成部材３０の二次側浄水用原水流路３０ｄを通過し、最終的に吐水ヘッド部８において浄水吐水を行うための浄水用の原水の流れである。
【００３７】
つぎに、図９及び図１０に示すように、流路形成部材３０は、切削加工等による穴開け加工が容易な樹脂材料で全体が形成されており、接続流路４８を流路形成部材３０の内部に形成する際、まず、各流路３０ａ，３０ｂ，３０ｃ，３０ｄ、給湯管接続部３２、給水管接続部３４、及び外側鋼管部材接続部４４を形成するように上下方向の穴開け加工を行う。この加工後、さらに、流路形成部材３０の外周側から、流路形成部材３０の外側鋼管部材接続部４４よりも上流側且つ内側鋼管部材接続部４０よりも下流側の位置に形成するべき接続流路４８の加工箇所に向って、水平方向内側への横穴５０を形成する穴開け加工を行い、二次側浄水用原水流路３０ｄの下端部と外側鋼管部材接続部４４とを連通させるように接続流路４８を形成する。
つぎに、穴開け加工により形成された接続流路４８における中心軸方向外側に位置する流路形成部材３０外周部付近に形成された開口部分５２について、流路形成部材３０と同質の樹脂材料からなる蓋部材５４を外側から塞いで接着する加工を行い、接続流路４８の中心軸方向外側が閉塞された接続流路４８が流路形成部材３０の内部に形成されて完成となる。
なお、開口部分５２の蓋閉止構造としては、開口部分５２、蓋部材５４の双方にねじ山を形成すると共に、このねじ山にシール材をとりつけてねじ固定する構造等、水密に保つことができればよく、様々な構造を採用することができる。
【００３８】
つぎに、図１１を参照して、ホース部材と鋼管部材との接続部の詳細について説明する。
図１１は、本発明の一実施形態による水栓装置のホース部材と鋼管部材との接続部を拡大した部分拡大断面図である。なお、図１１では、非浄水用原水の流れＦ１及び浄水用原水の流れＦ２をそれぞれ矢印で示している。
図１１に示すように、鋼管部材１８の下方側（下流側）には、複数の部品からなる接続部材２０が接続されており、この接続部材２０の下方側（下流側）には、ホース部材１６が接続されるようになっている。
接続部材２０は、具体的には、図１１の上方側から下方側に向って、ワンタッチソケット５６、中継パイプ５８、並びに、この中継パイプ５８に内蔵されているカプラ６０及び管状のインナーホース継手６２を備えている。
【００３９】
まず、ワンタッチソケット５６は、ソケット本体６４と、このソケット本体６４に内蔵された圧縮コイルばね６６と、この圧縮コイルばね６６のコイル中心軸方向の付勢力により軸方向（図１１の上下方向）に摺動可能な概ね円筒形状の保持部材６８を備え、外側鋼管部材３６及び内側鋼管部材３８と中継パイプ５８とを着脱可能に接続するための接続部材である。
外側鋼管部材３６及び内側鋼管部材３８をワンタッチソケット５６に取り付ける際、ソケット本体６４の下端には予め中継パイプ５８の上端部が固定されており、外側鋼管部材３６及び内側鋼管部材３８の下方部分をソケット本体６４及び保持部材６８の上方側から中継パイプ５８の内部に挿入すると、ソケット本体６４に内蔵された圧縮コイルばね６４のコイル中心軸方向の付勢力により保持部材６８が軸方向（図１１の上下方向）に適宜摺動し、保持部材６８が外側鋼管部材３６の外周面を所定の位置で固定することができるようになっている。
また、外側鋼管部材３６及び内側鋼管部材３８をワンタッチソケット５６に取り付けた状態では、中継パイプ５８内を延びる内側鋼管部材３８の外周面と中継パイプ５８の内周面との間に浄水用原水流路５８ａが形成されており、この浄水用原水流路５８ａは、その上方の外側鋼管部材３６の内部の浄水用原水流路３６ａと連通している。
【００４０】
つぎに、中継パイプ５８に内蔵されているカプラ６０は、内側鋼管部材３８の下端部とその下方のインナーホース継手６２の上端部とを接続するための接続部材である。このカプラ６０により内側鋼管部材３８の下端部とインナーホース継手６２の上端部とが接続された状態では、インナーホース継手６２の内周側に形成される流路が、その上方の内側鋼管部材３８の非浄水用原水流路３８ａと連通している非浄水用原水流路６２ａとなっている。
また、カプラ６０の外周面とこれに対向する中継パイプ５８の内周面との間には、外側鋼管部材３６の内部の浄水用原水流路３６ａと連通している浄水用原水流路５８ａが形成されている。
【００４１】
さらに、中継パイプ５８は、その下端部でインナーホース継手６２とホース部材１６とを接続するための接続部材である。
ホース部材１６は、具体的には、その上端位置するブッシュ７０を備え、さらに、内側から外側に向ってほぼ同心状に配置された、インナーホース７２、アウターホース７４及びフレキチューブ７６を備えている。
【００４２】
ブッシュ７０は、その上端部７０ａが中継パイプ５８の下方側から内部に向けて挿入されて接続されており、ブッシュ７０の上端部７０ａから下方にほぼ円筒状に延びる円筒部７０ｂの外周面には、アウターホース７４が取り付けられている。さらに、このアウターホース７４の外側には、フレキチューブ７６が配置されており、このフレキチューブ７６の上方側の外周面が中継パイプ５８の下方側の内周面に取り付けられている。
【００４３】
また、インナーホース継手６２は、ブッシュ７０の円筒部７０ｂの内周側を上下方向に貫くように延びており、このインナーホース継手６２の下端部は、アウターホース７４の内部でインナーホース７２の内周側に挿入されて接続されている。すなわち、インナーホース７２の内周側には、インナーホース継手６２の非浄水用原水流路６２ａと連通する非浄水用原水流路７２ａが形成されている。
【００４４】
さらに、インナーホース継手６２の外周面とブッシュ７０の円筒部７０ｂの内周面との間には、中継パイプ５８内の浄水用原水流路５８ａと連通する浄水用原水流路７０ｃが形成されている。また、インナーホース７２の外周面とアウターホース７４の内周面との間には、その上方の浄水用原水流路７０ｃと連通する浄水用原水流路７４ａが形成されている。
【００４５】
ここで、インナーホース７２は、その内周側の非浄水用原水流路７２ａ内の水圧や、その外周側の浄水用原水流路７４ａ内の水圧により弾性変形可能な弾性材料、例えば、塩化ビニル、シリコーン、フッ素ゴムで形成されている。
例えば、吐水モードが水吐水モード、湯吐水モード、又は湯水混合吐水モードの何れかに設定され、インナーホース７２の内周側の非浄水用原水流路７２ａ内を非浄水用の原水（水、湯、又は混合湯水）が流れる際には、非浄水用原水流路７２ａ内の水圧によりインナーホース７２が半径方向外側に拡張するように弾性変形し、インナーホース７２の内周側の非浄水用原水流路７２ａの断面積が増大し、インナーホース７２の外周側の浄水用原水流路７４ａの断面積が減少するようになっている。
一方、吐水モードが浄水吐水モードに設定され、インナーホース７２の外周側の浄水用原水流路７４ａ内を浄水用の原水が流れる際には、浄水用原水流路７４ａ内の水圧によりインナーホース７２が半径方向内側に押圧されるように弾性変形し、インナーホース７２の内周側の非浄水用原水流路７２ａの断面積が減少し、インナーホース７２の外周側の浄水用原水流路７４ａの断面積が増大するようになっている。
【００４６】
また、アウターホース７４の外周面は、補強層により覆われており、アウターホース７４の内部の非浄水用原水流路７２ａ内や浄水用原水流路７４ａ内で大きな水圧が作用したとしても、アウターホース７４内の流路断面が半径方向外側に所定以上に拡張することを防ぐことができるようになっており、アウターホース７４が破裂する等の損傷を防ぐことができるようになっている。
【００４７】
さらに、フレキチューブ７６は、ステンレス等の材料からなる金属製の可撓性ホース部材である。このフレキチューブ７６の内周面とアウターホース７４の外周面との間には、ある程度の隙間７８が形成されているが、この隙間７８は、吐水ヘッド部８を混合水栓装置本体１０の吐水ヘッド取付部１４から取り外して使用した場合に、フレキチューブ７６の曲げや引張りによる弾性変形等、可撓性の自由度を持たせるためのものであり、隙間７８は液密にされているため、非浄水用の原水や浄水用の原水が流れるための流路とはなっていない。
【００４８】
つぎに、図１２及び図１３を参照して、ホース部材と吐水ヘッド部との接続部、及び吐水ヘッド部の内部構造の詳細について説明する。
図１２は、本発明の一実施形態による水栓装置のホース部材と吐水ヘッド部との接続部を拡大した部分拡大断面図であり、図１３は、本発明の一実施形態による水栓装置の吐水ヘッド部の平面断面図である。
なお、図１２及び図１３では、非浄水用原水の流れＦ１及び浄水用原水の流れＦ２をそれぞれ矢印で示している。
【００４９】
まず、図１２に示すように、吐水ヘッド部８は、その内部の下ナット方側にホース部材１６が接続されるホース接続部８０を備えており、このホース接続部８０は、カラー８２、ブッシュ８４、締結部材８６、外側継手部材８８、内側継手部材９０、フィルター部材９２、及び下キャップ部材９４を備えている。
ホース接続部８０において、アウターホース７４の上端部外周面とフレキチューブ７６の上端部内周面と間の隙間７８には、これを塞ぐようにカラー８２が設けられている。
また、アウターホース７４の上端部内周側には、ほぼ円筒形状のブッシュ８４が上方から挿入されて接続されている。そして、ブッシュ８４の内周側には、外側継手部材８８の内側に同心状に配置されて上下方向に延びるほぼ円管形状の内側継手部材９０が挿入され、この内側継手部材９０の下端部は、ブッシュ８４を下方向に貫くように延びており、下方のインナーホース７２の上端部内周側に挿入されて接続されている。これにより、内側継手部材９０の内周側には、インナーホース７２の非浄水用原水流路７２ａと連通する非浄水用原水流路９０ａが形成されている。
さらに、内側継手部材９０の非浄水用原水流路９０ａの上端部（下流側端部）には、フィルター部材９２が取り付けられており、非浄水用原水流路９０ａを通過する非浄水用の原水（湯、水、又は混合湯水）に含まれるゴミ等が下流側に流れるのを防ぐことができるようになっている。
【００５０】
また、図１２に示すように、内側継手部材９０の外周面とこれに対向するアウターホース７４の内周面との間、内側継手部材９０の外周面とこれに対向するブッシュ８４の内周面との間、及び、内側継手部材９０の外周面とこれに対向する外側継手部材８８の内周面との間のそれぞれには、インナーホース７２の外周面とアウターホース７４の内周面との間の浄水用原水流路７４ａと連通する浄水用原水流路９０ｂがそれぞれ形成されている。
さらに、締結部材８６は、概ね筒形状の部材であり、締結部材８６の下端部内周側にブッシュ８４及びフレキチューブ７６の上端部が挿入されて固定されると共に、締結部材８６の上端部内周側に外側継手部材８８の下端部が挿入されて固定されることにより、ブッシュ８４及びフレキチューブ７６の上端部と外側継手部材８８の下端部とが締結部材８６を介して接続されて締結されるようになっている。
【００５１】
さらに、図１２に示すように、吐水ヘッド部８は、その内部に設けられた外側ケーシング部材９６を備えている。そして、外側継手部材８８は、その外側の下キャップ部材９４により固定されていると共に、この下キャップ部材９４の上端部に取り付けられている外側ケーシング部材９６の下端部により固定されている。また、内側継手部材９０は、上端部外周側が外側ケーシング部材９６の下端部によって固定され、内側継手部材９０の上端部よりも所定距離下方の中間部分が、外側継手部材８８の中央部８８ａによって固定されている固定部９０ｃとなっている。
【００５２】
つぎに、図１２及び図１３に示すように、吐水ヘッド部８は、外側ケーシング部材９６の内側に設けられた内側ケーシング部材９８と、この内側ケーシング部材９８の内部に設けられた概ね円筒形状の浄水カートリッジ１００とを備えている。
また、内側ケーシング部材９８の外周面と外側ケーシング部材９６の内周面との間には、内側継手部材９０の非浄水用原水流路９０ａの下流側と連通する非浄水用原水流路１０２が形成されている。
一方、内側ケーシング部材９８の内周面と浄水カートリッジ１００の外周面との間には、内側継手部材９０の外周面と外側継手部材８８の内周面との間の浄水用原水流路９０ｂの下流側と連通する浄水用原水流路１０４が非浄水用原水流路１０２から独立して形成されている。この浄水用原水流路１０４内の浄水用原水は、その内側の浄水カートリッジ１００の中を通過することにより浄化された後に、浄水として吐水部８ａ側へ流れるようになっている。
また、非浄水用原水流路１０２内の非浄水用原水は、浄水カートリッジ１００を通過することなく、浄化されていない原水（水、湯、又は混合湯水）のままで吐水部８ａ側へ流れるようになっている。
【００５３】
つぎに、図１３に示すように、吐水ヘッド部８の吐水部８ａの内部には、ストレート吐水用の吐水流路１０６及びシャワー吐水用の吐水流路１０８がそれぞれ形成されている。
ストレート吐水用の吐水流路１０６は、切替スイッチ８ｂによりストレート吐水モードが設定されている場合に、吐水ヘッド部８内の非浄水用原水流路１０２を流れた非浄水用原水（水、湯、若しくは混合湯水）、又は、吐水ヘッド部８内の浄水用原水流路１０４から浄水カートリッジ１００を通過した浄水が流れ込み、その下流側でストレート状に吐水させる流路となっている。このとき、シャワー吐水用の吐水流路１０８は、切替スイッチ８ｂの切替弁（図示せず）により閉鎖され、吐水が流入しないようになっている。
一方、シャワー吐水用の吐水流路１０８は、切替スイッチ８ｂによりシャワー吐水モードが設定されている場合に、吐水ヘッド部８内の非浄水用原水流路１０２を流れた非浄水用原水（水、湯、又は混合湯水）が流れ込み、その下流側でシャワー状に吐水させる流路となっている。このとき、ストレート吐水用の吐水流路１０６は、切替スイッチ８ｂの切替部材（図示せず）により閉鎖され、吐水が流入しないようになっている。
【００５４】
また、浄水カートリッジ１００よりも下流側に形成されて浄水カートリッジ１００を通過した浄水が流れる浄水流路１１０は、切替スイッチ８ｂの操作位置にかかわらず、吐水部８ａのストレート吐水用の吐水流路１０６と常時連通しており、シャワー吐水用の吐水流路１０８とは常時連通しない構造となっている。これにより、操作ハンドル６を浄水吐水モード（図８の（ａ）及び（ｂ）参照）に設定した状態で吐水ヘッド８の切替スイッチ８ｂをシャワー吐水モードに設定したとしても、シャワー状の浄水吐水は行われずに、ストレート状の浄水吐水のみが行われるようになっている。
なお、図１３では、浄水流路１１０を流れる浄水の流れＦ３を矢印で示している。
【００５５】
つぎに、図１〜図１４を参照して、上述した本発明の一実施形態による水栓装置１の動作（作用）について説明する。
図１４の（ａ）は、本発明の一実施形態による水栓装置の吐水ヘッド部における原水ストレート吐水モードの吐水動作を概略的に説明した図であり、図１４の（ｂ）は、本発明の一実施形態による水栓装置の吐水ヘッド部における原水シャワー吐水モードの吐水動作を概略的に説明した図であり、図１４の（ｃ）は、本発明の一実施形態による水栓装置の吐水ヘッド部における浄水ストレート吐水モードの吐水動作を概略的に説明した図である。
【００５６】
まず、図１４の（ａ）に示すように、原水ストレート吐水モードとは、吐水ヘッド８の切替スイッチ８ｂをストレート吐水モードに設定した状態で、操作ハンドル６を水吐水モードの操作位置Ｐ１（図６の（ａ）参照）、湯吐水モードの操作位置Ｐ２（図７の（ａ）参照）、又は湯水混合吐水モードの操作位置Ｐ３（図７の（ａ）参照）のいずれかに設定したときの吐水モードを意味する。
この原水ストレート吐水モードに設定した場合においては、図３、図４、図６の（ａ）及び（ｂ）、並びに図１０に示すように、操作ハンドル６を水吐水モードに設定した場合には、給水管４から供給される非浄水用の原水（水）が、流路形成部材３０の一次側水流路３０ｂから固定弁体２２の一次側水流路２２ｂを通過し、可動弁体２４の一次側流路２４ａ及び二次側流路２４ｂから固定弁体２２の二次側非浄水用原水流路２２ｃを経て流路形成部材３０の二次側非浄水用原水流路３０ｃを通過する。そして、この非浄水用の原水（水）は、図１０〜図１３に示すように、下流側に向って、内側鋼管部材３８内の非浄水用原水流路３８ａ、インナーホース継手６２内の非浄水用原水流路６２ａ、インナーホース７２内の非浄水用原水流路７２ａ、及び内側継手部材９０の非浄水用原水流路９０ａを経て吐水ヘッド部８内の非浄水用原水流路１０２を流れる。そして、吐水ヘッド８の切替スイッチ８ｂの切替弁（図示せず）がストレート吐水用の吐水流路１０６を開放すると共にシャワー吐水用の吐水流路１０８を閉鎖することにより、浄水されていな原水（水）がストレート吐水用の吐水流路１０６を流れ、最終的には、吐水ヘッド部８の吐水部８ａからストレート吐水される。
【００５７】
同様に、操作ハンドル６を湯吐水モード（図７の（ａ）及び（ｂ）参照）や湯水混合吐水モード（図７の（ａ））に設定した場合についても、流路形成部材３０の二次側非浄水用原水流路３０ｃの上流側から二次側非浄水用原水流路３０ｃ内に流入した非浄水用の原水（湯又は混合湯水）が、図１０〜図１３に示すように、下流側に向って、内側鋼管部材３８内の非浄水用原水流路３８ａ、インナーホース継手６２内の非浄水用原水流路６２ａ、インナーホース７２内の非浄水用原水流路７２ａ、及び内側継手部材９０の非浄水用原水流路９０ａを経て吐水ヘッド部８内の非浄水用原水流路１０２からストレート吐水用の吐水流路１０６を流れ、最終的には、浄水されていな原水（湯又は混合湯水）が吐水ヘッド部８の吐水部８ａからストレート吐水される。
【００５８】
つぎに、図１４の（ｂ）に示すように、原水シャワー吐水モードとは、吐水ヘッド８の切替スイッチ８ｂをシャワー吐水モードに設定した状態で、操作ハンドル６を水吐水モードの操作位置Ｐ１（図６の（ａ）参照）、湯吐水モードの操作位置Ｐ２（図７の（ａ）参照）、又は湯水混合吐水モードの操作位置Ｐ３（図７の（ａ）参照）のいずれかに設定したときの吐水モードを意味する。
この原水シャワー吐水モードに設定した場合においては、流路形成部材３０の二次側非浄水用原水流路３０ｃの上流側から二次側非浄水用原水流路３０ｃ内に流入した非浄水用の原水（水、湯又は混合湯水）が、図１０〜図１３に示すように、下流側に向って、内側鋼管部材３８内の非浄水用原水流路３８ａ、インナーホース継手６２内の非浄水用原水流路６２ａ、インナーホース７２内の非浄水用原水流路７２ａ、及び内側継手部材９０の非浄水用原水流路９０ａを経て吐水ヘッド部８内の非浄水用原水流路１０２を流れる点については、上述した原水ストレート吐水モードの場合と共通するが、吐水ヘッド８の切替スイッチ８ｂの切替弁（図示せず）がストレート吐水用の吐水流路１０６を閉鎖すると共にシャワー吐水用の吐水流路１０８を開放することにより、浄水されていな原水（水、湯又は混合湯水）がシャワー吐水用の吐水流路１０８を流れ、最終的には、吐水ヘッド部８の吐水部８ａからシャワー吐水される。
【００５９】
つぎに、図１４の（ｃ）に示すように、浄水ストレート吐水モードとは、吐水ヘッド８の切替スイッチ８ｂをストレート吐水モード又はシャワー吐水モードのいずれかに設定した状態で、操作ハンドル６を浄水吐水モードの操作位置Ｐ４（図８の（ａ）参照）に設定したときの吐水モードを意味する。
この浄水ストレート吐水モードに設定した場合においては、図３、図４、図８の（ａ）及び（ｂ）、並びに図１０に示すように、操作ハンドル６を浄水吐水モードに設定すると、給水管４から供給される非浄水用の原水（浄水化される前の原水）が、流路形成部材３０の一次側水流路３０ｂから固定弁体２２の一次側水流路２２ｂを通過し、可動弁体２４の一次側流路２４ａ及び二次側流路２４ｂから固定弁体２２の二次側浄水用原水流路２２ｄを経て流路形成部材３０の二次側浄水用原水流路３０ｄ及び接続流路４８を通過する。
【００６０】
そして、この浄水用の原水（浄水化される前の原水）は、図１０〜図１３に示すように、下流側に向って、内側鋼管部材３８の外周側の浄水用原水流路３６ａ、中継パイプ５８の外周側の浄水用原水流路５８ａ、インナーホース継手６２の外周側の浄水用原水流路７０ｃ、インナーホース７２の外周側の浄水用原水流路７４ａ、及び内側継手部材９０の外周側の浄水用原水流路９０ｂを経て吐水ヘッド部８の内側ケーシング部材９８内の浄水カートリッジ１００を通過することにより浄水化される。さらに、この浄水は、吐水ヘッド部８内の浄水流路１１０を通過し、ストレート吐水用の吐水流路１０６に流れ込み、最終的には、吐水ヘッド部８の吐水部８ａからストレート吐水される。
なお、浄水ストレート吐水モードに設定した場合においては、浄水流路１１０が、切替スイッチ８ｂの操作位置にかかわらず、吐水部８ａのストレート吐水用の吐水流路１０６と常時連通しているため、吐水ヘッド８の切替スイッチ８ｂをシャワー吐水モードに設定したとしても、シャワー状の浄水吐水は行われずに、ストレート状の浄水吐水のみが行われる。
【００６１】
上述した本発明の一実施形態による水栓装置１によれば、インナーホース７２の内周側の非浄水用原水流路７２ａ内を非浄水用の原水（水、湯、又は混合湯水）が流れる際には、弾性材料で形成されたインナーホース７２の区間（弾性区間）が非浄水用原水流路７２ａ内の水圧により半径方向外側に拡張するように弾性変形し、インナーホース７２の非浄水用原水流路７２ａの流路断面積が増大し、インナーホース７２の外周面とアウターホース７４の内周面との間の浄水用原水流路７４ａの流路断面積が減少する。
一方、インナーホース７２の外周側の浄水用原水流路７４ａ内を浄水用の原水（浄水化される前の原水）が流れる際には、インナーホース７２の区間（弾性区間）がその外周側の浄水用原水流路７４ａ内の水圧によりインナーホース７２が半径方向内側に押圧されるように弾性変形し、インナーホース７２内の非浄水用原水流路７２ａの流路断面積が減少し、インナーホース７２の外周側の浄水用原水流路７４ａの流路断面積が増大する。これにより、ホース部材１６よりも上流側にあるバルブカートリッジ２８と流路形成部材３０とにより選択的に切り替えた吐水について、インナーホース７２の内周側の非浄水用原水流路７２ａ内を流れる非浄水用の原水（水、湯、又は混合湯水）、又はインナーホース７２の外周側の浄水用原水流路７４ａを流れる浄水用の原水（浄水化される前の原水）として選択的に流すことができる。したがって、インナーホース７２の内周側の非浄水用原水流路７２ａ内を流れる非浄水用の原水（水、湯、又は混合湯水）と、インナーホース７２の外周側の浄水用原水流路７４ａを流れる浄水用の原水（浄水化される前の原水）とを互いに混合させることなく、それぞれの吐水流路の断面積を増大させることができ、ホース部材１６の下流側の吐水ヘッド部８から吐水する際の流量を増大させることができる。
【００６２】
また、本実施形態による水栓装置１によれば、鋼管部材１８の内側鋼管部材３８及び外側鋼管部材３６と、ホース部材１６のインナーホース７２及びアウターホース７４が、バルブカートリッジ２８の下側（下流側）の流路形成部材３０と吐水ヘッド部８との間に接続されているため、シングルレバー式の混合水栓装置本体１０の操作ハンドル６による吐水モードを水吐水モード、湯吐水モード、湯水混合吐水モード、又は浄水吐水モードのいずれかに選択的に切り替えた吐水操作を行うだけで、バルブカートリッジ２８から鋼管部材１８及びホース部材１６を経て吐水ヘッド部８へ流れる非浄水用の原水（水、湯、又は混合湯水）と浄水用の原水（浄水化される前の原水）のそれぞれが流れる流路を鋼管部材１８の上流側で容易に選択的に切り替えることができる。また、吐水ヘッド部８とこれに接続されているホース部材１６をシングルレバー式の混合水栓装置本体１０から取り外し、引き出した状態で使用することもできるため、使い勝手もよい。
【００６３】
さらに、本実施形態による水栓装置１によれば、ホース部材１６のアウターホース７４の外周面が補強層により覆われているため、アウターホース７４の内部の非浄水用原水流路７２ａ内や浄水用原水流路７４ａ内で大きな水圧が作用したとしても、アウターホース７４内の流路断面が半径方向外側に所定以上に拡張することを防ぐことができ、アウターホース７４が破裂する等の損傷を防ぐことができる。
【００６４】
また、本実施形態による水栓装置１によれば、混合水栓装置本体１０に内蔵された流路形成部材３０が、内側鋼管部材３８の上端部（上流側端部）が接続される内側鋼管部材接続部４０と、外側鋼管部材３６の上端部（上流側端部）が接続される外側鋼管部材接続部４４とを備えていることにより、混合水栓装置本体１０と鋼管部材１８を直接的に接続することができる簡易な構造であるため、施工性を向上させることができる。
【００６５】
さらに、本実施形態による水栓装置１によれば、外側鋼管部材接続部４４よりも上流側に位置する流路形成部材３０の二次側非浄水用原水流路３０ｃと二次側浄水用原水流路３０ｄは、それぞれの流路断面の中心軸線Ａ２，Ａ３（図１０参照）が互いに偏心していることにより、流路形成部材３０の外側鋼管部材接続部４４よりも上流側で二次側非浄水用原水流路３０ｃと二次側浄水用原水流路３０ｄとが互いに別々の流路として形成されている。したがって、これら別々の二次側非浄水用原水流路３０ｃ及び二次側浄水用原水流路３０ｄのそれぞれと、流路形成部材３０の上流側のバルブカートリッジ２８の固定弁体２２に形成される二次側非浄水用原水流２２ｃ及び二次側浄水用原水流路２２ｄのそれぞれとを容易に接続することができる。
【００６６】
また、本実施形態による水栓装置１によれば、流路形成部材３０の二次側浄水用原水流路３０ｄの下流側が、ほぼ水平方向に延びる接続流路４８を介して外側鋼管部材接続部４４に接続されている簡単な構成により、二次側浄水用原水流路３０ｄ内の浄水用の原水（浄水化される前の原水）を、外側鋼管部材接続部４４に接続されている外側鋼管部材３６の内周面と内側鋼管部材３８の外周面と間に形成される浄水用原水流路３６ａ（図１０参照）に容易に供給することができる。
【００６７】
また、本実施形態による水栓装置１によれば、流路形成部材３０の内部に接続流路４８を形成する際、流路形成部材３０の外周側からほぼ水平方向内側に向かって、接続流路４８と接続すべき流路形成部材３０の二次側浄水用原水流路３０ｄの下端部と外側鋼管部材接続部４４とが連通するまで穴開け加工を行った後、流路形成部材３０外周部付近に形成された開口部分５２について、流路形成部材３０と同質の樹脂材料からなる蓋部材５４を外側から塞いで接着する加工を行うことができるため、簡単な加工で流路形成部材３０の内部に接続流路４８を容易に形成することができる。
【００６８】
なお、上述した本実施形態による水栓装置１においては、例として、鋼管部材１８の内側鋼管部材３８及びホース部材１６のインナーホース７２のそれぞれの内周側を非浄水用原水流路３８ａ，７２ａとし、鋼管部材１８の内側鋼管部材３８及びホース部材１６のインナーホース７２のそれぞれの外周側を浄水用原水流路３６ａ，７４ａとした形態について説明したが、このような形態に限られず、他の形態として、互いの非浄水用の原水流路と浄水用の原水流路とを入れ替えた形態であってもよい。すなわち、鋼管部材１８の内側鋼管部材３８及びホース部材１６のインナーホース７２のそれぞれの内周側を浄水用の原水流路とし、鋼管部材１８の内側鋼管部材３８及びホース部材１６のインナーホース７２のそれぞれの外周側を非浄水用の原水流路とした形態であってもよい。
【００６９】
また、上述した本実施形態による水栓装置１においては、例として、流路形成部材３０に鋼管部材１８を接続した形態について説明したが、鋼管部材１８を省略し、ホース部材１６を流路形成部材３０に直接的に接続した形態でもよい。
【符号の説明】
【００７０】
１    水栓装置
２    給湯管
４    給水管
６    操作ハンドル
６ａ  先端部
８    吐水ヘッド部
８ａ  吐水部
８ｂ  切替スイッチ
１０    混合水栓装置本体（水栓装置本体）
１２    カウンター
１４    吐水ヘッド取付部
１６    ホース部材（管部材）
１８    鋼管部材（管部材）
２０    接続部材
２２    固定弁体
２２ａ  一次側湯流路
２２ｂ  一次側水流路
２２ｃ  二次側非浄水用原水流路
２２ｄ  二次側浄水用原水流路
２４    可動弁体
２４ａ  一次側流路
２４ｂ  二次側流路
２６    操作部
２８    バルブカートリッジ（流路切替部、バルブカートリッジ部）
３０    流路形成部材（流路切替部、本体部）
３０ａ  一次側湯流路
３０ｂ  一次側水流路
３０ｃ  二次側非浄水用原水流路
３０ｄ  二次側浄水用原水流路
３２    流路形成部材の給湯管接続部
３４    流路形成部材の給水管接続部
３６    外側鋼管部材
３６ａ  浄水用原水流路
３８    内側鋼管部材
３８ａ  非浄水用原水流路
４０    内側鋼管部材接続部（内側管接続部）
４２    シール部材
４４    外側鋼管部材接続部（外側管接続部）
４６    シール部材
４８    接続流路
５０    横穴
５２    穴開け加工された開口部分
５４    蓋部材（蓋体）
５６    ワンタッチソケット
５８    中継パイプ
５８ａ  浄水用原水流路
６０    カプラ
６２    インナーホース継手
６２ａ  非浄水用原水流路
６４    ソケット本体
６６    圧縮コイルばね
６８    保持部材
７０    ブッシュ
７０ａ  ブッシュの上端部
７０ｂ  ブッシュの円筒部
７０ｃ  浄水用原水流路
７２    インナーホース（二重管部、内側管部）
７２ａ  非浄水用原水流路（内側吐水流路）
７４    アウターホース（二重管部、外側管部）
７４ａ  浄水用原水流路（外側吐水流路）
７６    フレキチューブ
７８    隙間
８０    吐水ヘッド部のホース接続部
８２    カラー
８４    ブッシュ
８６    締結部材
８８    外側継手部材
８８    中央部
９０    内側継手部材
９０ａ  非浄水用原水流路
９０ｂ  浄水用原水流路
９０ｃ  固定部
９２    フィルター部材
９４    下キャップ部材
９６    外側ケーシング部材
９８    内側ケーシング部材
１００    浄水カートリッジ（浄水部）
１０２    非浄水用原水流路
１０４    浄水用原水流路
１０６    ストレート吐水用の吐水流路
１０８    シャワー吐水用の吐水流路
１１０    浄水流路
【図１】
2014084651.tif 000003
【図２】
2014084651.tif 000004
【図３】
2014084651.tif 000005
【図４】
2014084651.tif 000006
【図５】
2014084651.tif 000007
【図６】
2014084651.tif 000008
【図７】
2014084651.tif 000009
【図８】
2014084651.tif 000010
【図９】
2014084651.tif 000011
【図１０】
2014084651.tif 000012
【図１１】
2014084651.tif 000013
【図１２】
2014084651.tif 000014
【図１３】
2014084651.tif 000015
【図１４】
2014084651.tif 000016